(57)【要約】  ディスプレイ（１０）は、８つのモジュールで構成される。中継器群（２０）は、モジュール毎に設けられた中継器で構成される。各中継器は、バッファ、バッファに映像データを書き込むライト部、及びライト部による書き込みが終了すると、その書き込み速度より遅い速度でバッファから映像データを読み出して、対応するモジュールに出力するリード部を有する。映像データ供給器（３０）は、映像データを、１ライン分のラインデータ毎に、１つの中継器におけるバッファからのラインデータの読み出しが、他の７つの中継器におけるバッファへのラインデータの書き込み期間に行われるように、８つの中継器に順次振り分ける。
2017138171.tif 000002
【特許請求の範囲】
【請求項１】
３つ以上のモジュールで構成され、各々の前記モジュールが、外部から入力された映像データに対応する映像を表示するディスプレイと、
前記モジュール毎に設けられた中継器で構成され、各々の前記中継器が、前記映像データを記憶するバッファ、該バッファに、外部から与えられた前記映像データを書き込むライト部、及び該ライト部による書き込みが終了すると、その書き込み速度より遅い速度で該バッファから該映像データを読み出し、読み出した該映像データを、対応する前記モジュールに向けて出力するリード部を有する中継器群と、
前記映像データを、１フレームの１つの前記モジュール分未満の分割データ毎に、１つの前記中継器における前記バッファからの前記分割データの読み出しが、他の複数の前記中継器における前記バッファへの前記分割データの書き込み期間に行われるように、３つ以上の前記中継器に順次振り分ける映像データ供給器と、
を備える映像表示装置。
【請求項２】
各々の前記中継器の前記バッファが、複数の部分バッファで構成され、
各々の前記中継器内で、前記ライト部が、前記映像データ供給器から前記分割データを与えられる度に、書き込みを行う前記部分バッファを切り替え、かつ１つの前記部分バッファからの読み出し期間が、他の前記部分バッファへの書き込み期間と重なりを有する請求項１に記載の映像表示装置。
【請求項３】
各々の前記中継器が、前記リード部によって出力された前記分割データを、対応する前記モジュールに伝送する伝送ケーブルを有し、
前記ディスプレイが、正面視で１方向を長手方向とする形状の表示領域を有し、かつ該長手方向に直交する短手方向に前記モジュールが連結された構造を有する請求項１又は２に記載の映像表示装置。
【請求項４】
前記分割データが、１フレームの１ライン分以下の前記映像データである請求項１から３のいずれか１項に記載の映像表示装置。
【請求項５】
前記中継器群を構成する前記中継器の数をＬとしたとき、各々の前記中継器が、前記映像データの伝送速度を１／（Ｌ−１）以下に低下させる請求項１から４のいずれか１項に記載の映像表示装置。
【請求項６】
各々の前記中継器が、前記リード部によって出力された前記分割データを一旦記憶する第２バッファをさらに有する請求項１から５のいずれか１項に記載の映像表示装置。
【請求項７】
各々外部から入力された映像データに対応する映像を表示し、互いに共通のディスプレイを構成する３つ以上のモジュールの各々に対応して設けられたバッファに、前記映像データを、１フレームの１つの前記モジュール分未満の分割データ毎に順次書き込む書き込みステップと、
前記分割データが書き込まれた前記バッファから該分割データを、他の複数の前記バッファへの前記分割データの書き込み期間を用いて、該分割データの書き込み速度より遅い速度で読み出すと共に、読み出した該分割データを、対応する前記モジュールに伝送する伝送ステップと、
を含む映像データ伝送方法。
【請求項８】
３つ以上のモジュールで構成され、各々の前記モジュールが、外部から入力された映像データに対応する映像を表示するディスプレイ、及び前記モジュール毎に設けられたバッファを備える映像表示装置に、
前記映像データを１フレームの１つの前記モジュール分未満の分割データ毎に、３つ以上の前記バッファに順次書き込む書き込み機能と、
前記分割データが書き込まれた前記バッファから該分割データを、他の複数の前記バッファへの前記分割データの書き込み期間を用いて、該分割データの書き込み速度より遅い速度で読み出す読み出し機能と、
を実現させるプログラム。
【発明の詳細な説明】
【技術分野】
【０００１】
本発明は、映像表示装置、映像データ伝送方法、及びプログラムに関する。
【背景技術】
【０００２】
ディスプレイが複数のモジュールで構成された映像表示装置が知られている。例えば、競技場や建物の壁面に設置される大型の映像表示装置のディスプレイは、製作の容易化のために、複数のモジュールを連結することで構成される。【０００３】
特許文献１は、このような映像表示装置において、１フレーム分の映像データを、１モジュール分の映像データ毎に、対応するモジュールに伝送する構成を開示している。各モジュールは、自己に伝送された映像データに対応する映像を表示する。【０００４】
特許文献２は、画像データを記憶したメモリと、画像データの出力先との間に、各々１ライン分の記憶容量をもつ２つのバッファを介在させた構成を開示している。画像データを１ライン分毎に、２つのバッファに交互に書き込み、書き込みが行われていない方のバッファから画像データを読み出す。
【先行技術文献】
【特許文献】
【０００５】
【特許文献１】特開２００４−５６６１４号公報
【特許文献２】特開平５−１１０７８５号公報
【発明の概要】
【発明が解決しようとする課題】
【０００６】
映像表示装置においては、フレームレートを保ったまま、できるだけ遅い伝送速度で、各モジュールに映像データを送ることが望まれる。これは、映像データの伝送速度が速い程、高速な伝送に対応した伝送ケーブルが必要で、高速な伝送に対応した伝送ケーブル程太くて嵩張り、電力消費も増大するといった理由による。【０００７】
本願発明者は、研究の過程で、各モジュールに至る映像データの伝送経路にバッファを設け、バッファへの映像データの書き込み速度より遅い速度で、バッファから映像データを読み出すことで、映像データの伝送速度を低下させる構成を考えた。【０００８】
しかし、この構成を、特許文献１の映像表示装置に適用した場合、１モジュール分の映像データを記憶可能な大容量のバッファを、モジュールの数だけ用意する必要がある。このため、構成の大型化を招く。【０００９】
特許文献２の技術では、小容量のバッファを用いるため、構成の大型化は抑えられる。しかし、２つのバッファに交互に書き込みを行い、書き込みが行われていない方のバッファから書き込み速度より遅い速度で読み出しを行おうとすると、双方のバッファへの書き込みを中断し、１つのバッファからの読み出しの完了を待たねばならない期間が生じる。この結果、フレームレートが低下し、ディスプレイの表示がちらつく。【００１０】
本発明の目的は、大型化を抑えた構成によって、フレームレートを保ったまま、各モジュールへの映像データの伝送速度を低下させることができる映像表示装置、映像データ伝送方法、及びプログラムを提供することである。
【課題を解決するための手段】
【００１１】
上記目的を達成するために、本発明に係る映像表示装置は、
３つ以上のモジュールで構成され、各々の前記モジュールが、外部から入力された映像データに対応する映像を表示するディスプレイと、
前記モジュール毎に設けられた中継器で構成され、各々の前記中継器が、前記映像データを記憶するバッファ、該バッファに、外部から与えられた前記映像データを書き込むライト部、及び該ライト部による書き込みが終了すると、その書き込み速度より遅い速度で該バッファから該映像データを読み出し、読み出した該映像データを、対応する前記モジュールに向けて出力するリード部を有する中継器群と、
前記映像データを、１フレームの１つの前記モジュール分未満の分割データ毎に、１つの前記中継器における前記バッファからの前記分割データの読み出しが、他の複数の前記中継器における前記バッファへの前記分割データの書き込み期間に行われるように、３つ以上の前記中継器に順次振り分ける映像データ供給器と、
を備える。
【発明の効果】
【００１２】
リード部が、ライト部による書き込み速度より遅い速度で、バッファから映像データを読み出すので、各モジュールへの映像データの伝送速度を低下させることができる。【００１３】
また、１つの中継器におけるバッファからの分割データの読み出しが、他の複数の中継器におけるバッファへの分割データの書き込み期間に行われるので、各バッファへの書き込みを中断して、或るバッファからの読み出しの完了を待たねばならない期間の発生を回避できる。この結果、映像データ供給器から中継器群に至る分割データの伝送速度に見合ったフレームレートを保つことができる。【００１４】
しかも、各々のバッファは、１つのモジュール分未満の分割データを記憶するに足りる記憶容量を有していればよいので、構成の大型化を抑えることができる。
【図面の簡単な説明】
【００１５】
【図１】実施形態１に係る映像表示装置の構成を示す概念図
【図２】実施形態１に係るディスプレイを構成するモジュールの概念図
【図３】実施形態１に係る中継器の構成を示すブロック図
【図４】実施形態１に係るフレームデータ伝送処理のフローチャート
【図５】実施形態１に係るラインデータの振り分けの順序を示す概念図
【図６】実施形態１に係るライト部とリード部の動作のタイミングチャート
【図７】実施形態２に係る中継器の構成を示すブロック図
【図８】実施形態２に係るライト部とリード部の動作のタイミングチャート
【図９】実施形態３に係るライト部とリード部の動作のタイミングチャート
【図１０】実施形態４に係る１／２ラインデータの振り分けの順序を示す概念図
【図１１】実施形態５に係る１／８ラインデータの振り分けの順序を示す概念図
【図１２】実施形態６に係る中継器の構成を示すブロック図
【発明を実施するための形態】
【００１６】
以下、図面を参照し、本発明の実施形態に係る映像表示装置について説明する。図中、同一又は対応する部分に同一の符号を付す。
【００１７】
〔実施形態１〕
図１に示すように、本実施形態に係る映像表示装置１００は、自己に入力された映像データに対応する映像を表示するディスプレイ１０と、ディスプレイ１０に至る映像データの伝送経路上に配置され、映像データの伝送速度を低下させる中継器群２０と、中継器群２０に映像データを供給する映像データ供給器３０と、を備える。
【００１８】
ディスプレイ１０は、正面視で横方向を長手方向とする長方形の表示領域１０ａを有する。表示領域１０ａは、縦１０８０ピクセル×横１９２０ピクセルのマトリクス状に配列された画素で構成されている。表示領域１０ａの面積は、１０ｍ２以上である。
【００１９】
表示領域１０ａの横１行に並ぶ画素で構成される部分領域をラインと呼ぶ。表示領域１０ａを構成する１０８０本のラインに、正面視で縦方向最上部から最下部に向かって、Ｌ［１］、…Ｌ［１０８０］と符号を付す。
【００２０】
ディスプレイ１０は、縦方向に８分割された構造を有する。具体的には、ディスプレイ１０は、各々正面視で横方向に長い第１〜第８のモジュールＭ−１〜Ｍ−８が、上記長手方向に直交する短手方向としての縦方向に連結された構造を有する。第１〜第８のモジュールＭ−１〜Ｍ−８の各々が、外部から入力された映像データに対応する映像を表示する。
【００２１】
第１〜第８のモジュールＭ−１〜Ｍ−８の各々は、表示領域１０ａにおける１３５（＝１０８０÷８）ライン分、即ち縦１３５ピクセル×横１９２０ピクセルの部分領域における映像の表示を担当する。
【００２２】
以下の説明中、ｉは、１〜８の任意の整数を表す変数とする。
【００２３】
図２に示すように、具体的には、第ｉのモジュールＭ−ｉは、ラインＬ［１３５＊（ｉ−１）＋１］〜ラインＬ［１３５＊（ｉ−１）＋１３５］における映像の表示を担当する。ここで“＊”は、かけ算を表す記号である。
【００２４】
また、第ｉのモジュールＭ−ｉは、複数の表示ユニット１１が横方向に配列された構造を有する。各々の表示ユニット１１は、発光素子１２が縦横にマトリクス状に配列された構造を有する。各々の発光素子１２は、赤色ＬＥＤ（Light Emitting Diode）、青色ＬＥＤ、及び緑色ＬＥＤが共通のパッケージに実装された構造を有する。
【００２５】
１つの発光素子１２が、１ピクセルの画素を構成する。１つの表示ユニット１１は、具体的には、縦６４個×横６４個の発光素子１２で構成されている。第ｉのモジュールＭ−ｉは、横方向に配列された３０（＝１９２０÷６４）個の表示ユニット１１で構成されている。
【００２６】
図１に戻り、次に中継器群２０について説明する。中継器群２０は、第１〜第８の中継器ＲＸ−１〜ＲＸ−８で構成されている。第ｉの中継器ＲＸ−ｉは、第ｉのモジュールＭ−ｉに対応して設けられている。
【００２７】
即ち、第ｉの中継器ＲＸ−ｉは、第ｉのモジュールＭ−ｉに至る映像データの伝送経路上に配置されている。第ｉの中継器ＲＸ−ｉは、第ｉのモジュールＭ−ｉに向かう映像データの伝送速度を低下させる。なお、第ｉの中継器ＲＸ−ｉは、第ｉのモジュールＭ−ｉに映像データを伝送する伝送ケーブル２１を含む。
【００２８】
図３に示すように、第ｉの中継器ＲＸ−ｉは、伝送ケーブル３３を通じて映像データを取得する取得部Ｒ−ｉと、映像データを記憶するバッファＢＭ−ｉと、バッファＢＭ−ｉに、取得部Ｒ−ｉで取得された映像データを書き込むライト部ＭＷ−ｉと、ライト部ＭＷ−ｉによる書き込みが終了すると、バッファＢＭ−ｉから映像データを読み出し、読み出した映像データを出力するリード部ＭＲ−ｉと、リード部ＭＲ−ｉによって出力された映像データを、伝送ケーブル２１を通じて第ｉのモジュールＭ−ｉに伝送する伝送部Ｓ−ｉと、を有する。
【００２９】
リード部ＭＲ−ｉは、第ｉのモジュールＭ−ｉへの映像データの伝送速度を低下させるために、ライト部ＭＷ−ｉによる映像データの書き込み速度より遅い速度で、バッファＢＭ−ｉから映像データを読み出す。なお、バッファＢＭ−ｉはＦＩＦＯ（First In First Out）構造を有する。リード部ＭＲ−ｉは、バッファＢＭ−ｉに先に書き込まれた映像データを先に読み出す。
【００３０】
バッファＢＭ−ｉは、１フレーム（frame）の第ｉのモジュールＭ−ｉ分未満の分割データとしての１ライン分の映像データ（以下、ラインデータという。）を記憶できる容量をもつ。即ち、取得部Ｒ−ｉは、伝送ケーブル３３を通じてラインデータを取得し、ライト部ＭＷ−ｉはラインデータの書き込みを行い、リード部ＭＲ−ｉはラインデータの読み出しを行う。
【００３１】
図１に戻り、次に映像データ供給器３０について説明する。映像データ供給器３０は、予め複数フレーム分の映像データを記憶したメモリ３１と、メモリ３１から映像データを読み出し、読み出した映像データを、ラインデータ毎に、第１〜第８の中継器ＲＸ−１〜ＲＸ−８に順次振り分ける振り分け部３２と、振り分け部３２によって第ｉの中継器ＲＸ−ｉに振り分けられたラインデータが伝送する伝送ケーブル３３と、を備える。
【００３２】
振り分け部３２がメモリ３１から映像データを読み出す速度によって、ディスプレイ１０に表示される映像のフレームレート（frame rate）が決まる。なお、メモリ３１から映像データを読み出す速度は、振り分け部３２から中継器群２０へ映像データを伝送する速度と等しい。本明細書において、速度とは、単位時間あたりの情報量[bit]を指す。
【００３３】
振り分け部３２は、シリアル通信（Serial communication）によってメモリ３１から映像データを取得する。即ち、振り分け部３２は、メモリ３１から映像データを１ビットずつ逐次的に読み出す。一方、中継器群２０は、シリアル形式の映像データを、ディスプレイ１０の複数のモジュールに対して、並行して与える。このため、中継器群２０で映像データの伝送速度を低下させても、振り分け部３２による映像データの読み出し及び伝送の速度に見合ったフレームレートを保つことが可能である。
【００３４】
以下、図４〜図６を参照し、映像データ供給器３０からディスプレイ１０に映像データを伝送する際の各部の動作について具体的に説明する。
【００３５】
図４を参照し、まず、１フレーム分の映像データを、映像データ供給器３０からディスプレイ１０に伝送するフレームデータ伝送処理の全体の流れを述べる。
【００３６】
前提として、整数型変数ｋ、ｍ、及びｎに、それぞれ１が代入されているものとする（ステップＳ１１）。
【００３７】
まず、振り分け部３２は、第ｋの中継器ＲＸ−ｋに、ラインＬ［ｍ］に表示する映像を表すラインデータ（以下、Ｌ［ｍ］用ラインデータという。）の伝送を開始する（ステップＳ１２）。
【００３８】
第ｋの中継器ＲＸ−ｋでは、取得部Ｒ−ｋが、振り分け部３２からＬ［ｍ］用ラインデータを取得しつつ、取得したＬ［ｍ］用ラインデータをライト部ＭＷ−ｋに出力する。ライト部ＭＷ−ｋは、取得部Ｒ−ｋからＬ［ｍ］用ラインデータを取得しつつ、取得したＬ［ｍ］用ラインデータをバッファＢＭ−ｋに書き込む（ステップＳ１３）。
【００３９】
次に、ライト部ＭＷ−ｋの書き込みが完了すると、リード部ＭＲ−ｋが、バッファＢＭ−ｋから、ライト部ＭＷ−ｋの書き込み速度の１／７の速度での、Ｌ［ｍ］用ラインデータの読み出しを開始する。即ち、リード部ＭＲ−ｋは、振り分け部３２から取得部Ｒ−ｋへの映像データの伝送速度の１／７の速度での、第ｋのモジュールＭ−ｋへのＬ［ｍ］用ラインデータの出力を開始する（ステップＳ１４）。
【００４０】
なお、リード部ＭＲ−ｋの読み出し速度は、ライト部ＭＷ−ｋの書き込み速度より遅いため、リード部ＭＲ−ｋの読み出しには、ライト部ＭＷ−ｋの書き込みより長い時間を要する。振り分け部３２は、リード部ＭＲ−ｋの読み出しの完了を待たずに、ステップＳ１５以降の処理に進む。
【００４１】
次に、振り分け部３２は、ｋの値を１増加させると共に、ｍの値を１３５増加させる（ステップＳ１５）。
【００４２】
次に、振り分け部３２は、ｋ＝９であるか否かを判定し（ステップＳ１６）、ｋ≠９ならば（ステップＳ１６：ＮＯ）、ステップＳ１２に戻る。
【００４３】
一方、振り分け部３２は、ｋ＝９ならば（ステップＳ１６：ＹＥＳ）、ｍ＝１２１５であるか否かを判定し（ステップＳ１７）、ｍ≠１２１５ならば（ステップＳ１７：ＮＯ）、ｋを１にリセットし、ｎを１増加させた後、ｍにｎを代入し（ステップＳ１８）、ステップＳ１２に戻る。
【００４４】
一方、振り分け部３２は、ステップＳ１７で、ｍ＝１２１５ならば（ステップＳ１７：ＹＥＳ）、第８のモジュールＭ−８へのＬ［１０８０］用ラインデータの出力が既に開始されたことを表すので、本処理を終了する。
【００４５】
以上、図４には、１フレーム分の映像データを伝送する処理の流れを示した。映像データ供給器３０からディスプレイ１０に１フレーム分の映像データが伝送される度に、図４に示す処理が繰り返し行われる。
【００４６】
図５を参照し、次に、１フレームの映像を表す１０８０本のラインデータの、ディスプレイ１０への入力順序について具体的に説明する。図５中、（１），…（１６），…の番号が、ディスプレイ１０へのラインデータの入力順序を示す。
【００４７】
まず、番号（１）に示すように、第１のモジュールＭ−１に、Ｌ［１］用ラインデータが入力される。これは、ｋ＝１及びｍ＝１の場合の、１巡目の図４のステップＳ１４の処理で実現される。
【００４８】
次に、番号（２）に示すように、第２のモジュールＭ−２に、Ｌ［１３６］用ラインデータが入力される。これは、ｋ＝２及びｍ＝１３６の場合の、２巡目の図４のステップＳ１４の処理で実現される。
【００４９】
次に、番号（３）に示すように、第３のモジュールＭ−３に、Ｌ［２７１］用ラインデータが入力される。これは、ｋ＝３及びｍ＝２７１の場合の、３巡目の図４のステップＳ１４の処理で実現される。
【００５０】
このようにして、番号（１），（２），（３）…（１６），…の順序でラインデータが入力される。これは、振り分け部３２が、第１〜第８の中継器ＲＸ−１〜ＲＸ−８に順次周期的に、かつ第ｉの中継器ＲＸ−ｉには、ラインデータがラインの番号に従って順番に与えられるように、ラインデータを振り分けることにより実現される。
【００５１】
ここで、ラインデータがラインの番号に従って順番に与えられるとは、或るラインＬ［ｊ］に対応するラインデータが与えられた後、その下方のラインＬ［ｊ＋１］に対応するラインデータが与えられることを意味する。
【００５２】
なお、図５は、ディスプレイ１０へのラインデータの入力順序を示した概念図であり、ディスプレイ１０における表示の切り替わりの順序を示したものではない。ディスプレイ１０は、第１〜第８のモジュールＭ−１〜Ｍ−８への１フレーム分の映像データの入力が完了した段階で、一斉に表示を切り替えることができる。
【００５３】
図６を参照し、次に、バッファＢＭ−１〜ＢＭ−８に対する書き込みと読み出しのタイミングについて説明する。
【００５４】
図６中、Ｗは、ライト部ＭＷ−ｉによるバッファＢＭ−ｉへのラインデータの書き込み期間を表す。振り分け部３２が第１〜第８の中継器ＲＸ−１〜ＲＸ−８にラインデータを順次振り分けるので、バッファＢＭ−１〜ＢＭ−８への書き込みが順次周期的に行われる。
【００５５】
具体的には、最初の１周期では、バッファＢＭ−１へのＬ［１］用ラインデータ書き込み、バッファＢＭ−２へのＬ［１３６］用ラインデータ書き込み、・・・バッファＢＭ−８へのＬ［９４６］用ラインデータ書き込みがこの順で行われる。
【００５６】
このようにして、バッファＢＭ−ｉへの書き込みがなされると、バッファＢＭ−ｍｏｄ（ｉ＋１，８）への書き込みがなされる。ここで、ｍｏｄ（ｎ，８）は、ｎ≦８のとき、ｎを表し、ｎ＞８のとき、ｎを８で割った余りを表す関数である。
【００５７】
図６中、Ｒは、リード部ＭＲ−ｉによるバッファＢＭ−ｉからのラインデータの読み出し期間を表す。第ｉの中継器ＲＸ−ｉにおいて、ライト部ＭＷ−ｉの書き込みが完了すると、リード部ＭＲ−ｉの読み出しが開始する。なお、リード部ＭＲ−ｉの読み出し期間が、ライト部ＭＷ−ｉの書き込み期間より長いのは、既述のように、第ｉのモジュールＭ−ｉへのラインデータの伝送速度を１／７に低下させるためである。
【００５８】
バッファＢＭ−ｉからのラインデータの読み出しは、他の各バッファＢＭ−ｊへのラインデータの書き込みと並行して行われる（但し、ｊはｊ≠ｉなる１〜８の任意の自然数とする）。
【００５９】
具体的には、バッファＢＭ−１からのＬ［１］用ラインデータの読み出し期間中に、バッファＢＭ−２へのＬ［１３６］用ラインデータ書き込み、バッファＢＭ−３へのＬ［２７１］用ラインデータ書き込み、バッファＢＭ−４へのＬ［４０６］用ラインデータ書き込み、バッファＢＭ−５へのＬ［５４１］用ラインデータ書き込み、バッファＢＭ−６へのＬ［６７６］用ラインデータ書き込み、バッファＢＭ−７へのＬ［８１１］用ラインデータ書き込み、及びバッファＢＭ−８へのＬ［９４６］用ラインデータ書き込みが行われる。
【００６０】
また、バッファＢＭ−２からのＬ［１３６］用ラインデータの読み出し期間中に、バッファＢＭ−３へのＬ［２７１］用ラインデータ書き込み、バッファＢＭ−４へのＬ［４０６］用ラインデータ書き込み、バッファＢＭ−５へのＬ［５４１］用ラインデータ書き込み、バッファＢＭ−６へのＬ［６７６］用ラインデータ書き込み、バッファＢＭ−７へのＬ［８１１］用ラインデータ書き込み、バッファＢＭ−８へのＬ［９４６］用ラインデータ書き込み、及びバッファＢＭ−１へのＬ［２］用ラインデータ書き込みが行われる。
【００６１】
このようにして、振り分け部３２は、或るバッファＢＭ−ｉからのラインデータの読み出し期間中に、残りの全てのバッファＢＭ−ｍｏｄ（ｉ＋１，８）〜ＢＭ−ｍｏｄ（ｉ＋７，８）へのラインデータの書き込みがなされるように、第１〜第８の中継器ＲＸ−１〜ＲＸ−８にラインデータを振り分ける。
【００６２】
以上説明した実施形態によれば、次の効果が得られる。
【００６３】
（１）リード部ＭＲ−ｉが、ライト部ＭＷ−ｉによる書き込み速度より遅い速度で、バッファＢＭ−ｉから映像データを読み出すことにより、第ｉのモジュールＭ−ｉに接続された伝送ケーブル２１における映像データの伝送速度を、振り分け部３２と中継器群２０とを接続する伝送ケーブル３３における映像データの伝送速度より低下させることができる。
【００６４】
具体的には、図６に示すように、リード部ＭＲ−ｉによる映像データの読み出し期間の時間長は、ライト部ＭＷ−ｉによる書き込み期間の時間長の７倍に等しい。このため、第ｉの中継器ＲＸ−ｉは、第ｉのモジュールＭ−ｉに向かう映像データの伝送速度を、１／７に低下させることができる。
【００６５】
（２）或るバッファＢＭ−ｉからのラインデータの読み出しが、残りの全てのバッファＢＭ−ｍｏｄ（ｉ＋１，８）〜ＢＭ−ｍｏｄ（ｉ＋７，８）へのラインデータの書き込み期間に行われるので、バッファＢＭ−１〜ＢＭ−８への書き込みを中断して、或るバッファＢＭ−ｉからの読み出しの完了を待たねばならない期間の発生を回避できる。
【００６６】
つまり、中継器群２０で映像データの伝送速度を１／７に低下させるにも関わらず、いずれのバッファＢＭ−ｉにもオーバーフローを生じさせることなく、振り分け部３２による中継器群２０へのラインデータの振り分けを中断せず順次連続して行える。このため、振り分け部３２から中継器群２０への映像データの伝送速度に見合ったフレームレートを保つことができる。なお、フレームレートは、６０[fps]である。
【００６７】
（３）バッファＢＭ−ｉは、１ライン分のラインデータを記憶するに足りる記憶容量を有していればよいので、構成の大型化を抑えることができる。具体的には、１ライン分の記憶容量のバッファＢＭ−ｉであれば、ＦＰＧＡ（Field Programmable GateArray）やＡＳＩＣ（Application Specific Integrated Circuit）に搭載可能であり、第ｉの中継器ＲＸ−ｉの、伝送ケーブル２１以外の機能は、単一の集積回路チップで実現できる。
【００６８】
なお、本実施形態では、中継器群２０を構成する中継器の数及びディスプレイ１０を構成するモジュールの数を８つとしたが、特に８つに限定されない。実施形態１において、中継器群２０を構成する中継器の数をＬ（但し、Ｌは３以上の自然数とする。）としたとき、各中継器は、映像データの伝送速度を１／（Ｌ−１）に低下させることができる。
【００６９】
〔実施形態２〕
上記実施形態１の構成において、バッファＢＭ−ｉを、複数の独立した部分バッファで構成してもよい。この場合、第ｉの中継器ＲＸ−ｉに振り分けられた或るラインデータの書き込みは、バッファＢＭ−ｉを構成する１つの部分バッファに対して行い、次に第ｉの中継器ＲＸ−ｉに振り分けられたラインデータの書き込みは、バッファＢＭ−ｉを構成する他の部分バッファに対して行うことができる。
【００７０】
これにより、バッファＢＭ−ｉを構成する１つの部分バッファからの映像データの読み出し速度を、バッファＢＭ−ｉを構成する他の部分バッファへの書き込み期間も用いて、低下させることが可能となる。このため、さらなる伝送速度の低下が図られる。即ち、各中継器は、映像データの伝送速度を１／（Ｌ−１）未満に低下させることができる。以下、その具体例について説明する。
【００７１】
図７に示すように、本実施形態では、第ｉの中継器ＲＸ−ｉが、独立した部分バッファＢＭａ−ｉと部分バッファＢＭｂ−ｉとを備える。他の構成は、実施形態１と同様である。
【００７２】
ライト部ＭＷ−ｉは、伝送ケーブル３３を通して取得部Ｒ−ｉにラインデータが与えられる度に、書き込み先を切り替える。即ち、ライト部ＭＷ−ｉは、或るラインデータを、部分バッファＢＭａ−ｉと部分バッファＢＭｂ−ｉの一方に書き込んだ後、次に与えられたラインデータを他方に書き込む。
【００７３】
リード部ＭＲ−ｉは、バッファＢＭａ−ｉとバッファＢＭｂ−ｉのうちライト部ＭＷ−ｉによって書き込みが行われた方から読み出しを行う。
【００７４】
図８に示すように、本実施形態によれば、第ｉの中継器ＲＸ−ｉにおいて、部分バッファＢＭａ−ｉと部分バッファＢＭｂ−ｉの一方への書き込み期間を、他方からの読み出し期間と重複させることができる。
【００７５】
このため、リード部ＭＲ−ｉによる映像データの読み出し期間として、ライト部ＭＷ−ｉによる書き込み期間の８倍の期間を確保できる。即ち、第ｉの中継器ＲＸ−ｉは、第ｉのモジュールＭ−ｉへの映像データの伝送速度を、１／８に低下させることができる。
【００７６】
なお、一般に、本実施形態のように、第ｉの中継器ＲＸ−ｉが２つの部分バッファＢＭａ−ｉ及びＢＭｂ−ｉを有する場合、中継器群２０を構成する中継器の数をＬとしたとき、各中継器は、映像データの伝送速度を１／Ｌに低下させることができる。
【００７７】
〔実施形態３〕
上記実施形態２では、振り分け部３２が、１ラインデータ毎に、中継器群２０内で振り分け先を切り替えたが、第ｉの中継器ＲＸ−ｉが複数の部分バッファを備える場合、振り分け部３２は、複数ラインデータ毎に、振り分け先を切り替えてもよい。以下、その具体例について説明する。
【００７８】
図９に示すように、本実施形態では、振り分け部３２は、第１の中継器ＲＸ−１に、部分バッファＢＭａ−１に書き込まれるＬ［１］用ラインデータと、部分バッファＢＭｂ−１に書き込まれるＬ［２］用ラインデータとをこの順に伝送した後、第２の中継器ＲＸ−２に、部分バッファＢＭａ−２に書き込まれるＬ［１３６］用ラインデータと、部分バッファＢＭｂ−２に書き込まれるＬ［１３７］用ラインデータとをこの順に伝送する。
【００７９】
このようにして、振り分け部３２は、第ｉの中継器ＲＸ−ｉに、部分バッファＢＭａ−ｉに書き込まれるＬ［ｘ］用ラインデータと、部分バッファＢＭｂ−ｉに書き込まれるＬ［ｘ＋１］用ラインデータとをこの順に伝送した後、第ｍｏｄ（ｉ＋１，８）の中継器ＲＸ−ｍｏｄ（ｉ＋１，８）に、部分バッファＢＭａ−ｍｏｄ（ｉ＋１，８）に書き込まれるＬ［ｙ］用ラインデータと、部分バッファＢＭｂ−ｍｏｄ（ｉ＋１，８）に書き込まれるＬ［ｙ＋１］用ラインデータとをこの順に伝送するといったように、２ラインデータ毎に、振り分け先を切り替える。
【００８０】
本実施形態によれば、振り分け部３２は、２ラインデータ毎に振り分け先を切り替えればよいので、１ラインデータ毎に振り分け先を切り替える場合に比べると、振り分け部３２による振り分け動作の速度を低下させることができるといった効果が得られる。
【００８１】
〔実施形態４〕
上記実施形態１では、振り分け部３２が、分割データとして１ライン分のラインデータを中継器群２０に振り分けた。振り分け部３２が振り分ける分割データは、１ライン分未満の映像データであってもよい。以下、その具体例について説明する。
【００８２】
図１０に示すように、本実施形態では、振り分け部３２は、分割データとして１／２ライン分の１／２ラインデータを振り分ける。具体的には、番号（１），（２），（３）…（３３），…の順序での１／２ラインデータのディスプレイ１０への入力が実現されるように、振り分け部３２は、１／２ラインデータを振り分ける。即ち、第１〜第８の中継器ＲＸ−１〜ＲＸ−８には、１／２ラインデータが、順次周期的に与えられる。第ｉの中継器ＲＸ−ｉには、１／２ラインデータが、横方向に関して１ラインの左半分から右半分の順に、縦方向に関しては、ラインの番号に従って順番に与えられる。
【００８３】
本実施形態によれば、バッファＢＭ−ｉが１／２ライン分の映像データを記憶するに足りる記憶容量を有していればよいので、実施形態１の場合よりも、第ｉの中継器ＲＸ−ｉの構成の小型化が図られる。
【００８４】
〔実施形態５〕
上記各実施形態では、ディスプレイ１０が、正面視で縦方向に分割された構造を有していた。ディスプレイ１０は、正面視で横方向に分割された構造を有していてもよい。以下、その具体例について述べる。
【００８５】
図１１に示すように、本実施形態では、ディスプレイ１０が、正面視で縦方向に長い第１〜第８のモジュールＭ−１〜Ｍ−８が、横方向に連結された構造を有する。
【００８６】
振り分け部３２は、番号（１），（２），（３）…の順序で、分割データとしての１／８ライン分の１／８ラインデータがディスプレイ１０に入力されるように、１／８ラインデータを振り分ける。第１〜第８の中継器ＲＸ−１〜ＲＸ−８には、１／８ラインデータが、順次周期的に与えられる。第ｉの中継器ＲＸ−ｉには、１／８ラインデータが、縦方向に関してラインの番号に従って順番に与えられる。
【００８７】
本実施形態によれば、バッファＢＭ−ｉが１／８ライン分の映像データを記憶するに足りる記憶容量を有していればよいので、第ｉの中継器ＲＸ−ｉのさらなる小型化が図られる。
【００８８】
但し、第ｉのモジュールＭ−ｉの構成の簡素化を図る観点からは、横方向に長いディスプレイ１０は、図１に示したように、縦方向に分割された構造を有していることが好ましい。これは、図１１に示す構成の場合、第ｉのモジュールＭ−ｉは、図２に示す表示ユニット１１を、縦方向にも横方向にも連結した構造を有する必要があるのに対して、図１に示す構成の場合、第ｉのモジュールＭ−ｉは、図２に示す表示ユニット１１を、横方向にのみ連結した構造を有していればよいからである。
【００８９】
また、図２に示す表示ユニット１１は、正面視で正方形に形成されている。その一辺を分割の単位とする場合、ディスプレイ１０は横方向に長いので、ディスプレイ１０を縦方向に分割する場合は、図１に示したように８分割で足りるのに対し、ディスプレイ１０を横方向に分割しようとすると、多数、具体的には、３０（＝１９２０÷６４）分割しなければならない。すると、３０本の伝送ケーブル２１が必要となってしまう。このような理由からも、ディスプレイ１０は、縦方向に分割された構造を有していることが好ましい。
【００９０】
〔実施形態６〕
上記各実施形態では、映像データが、リード部ＭＲ−ｉによって読み出され次第、第ｉのモジュールＭ−ｉに伝送される構成を採った。リード部ＭＲ−ｉと伝送部Ｓ−ｉとの間に第２バッファＳＭ−ｉを介在させ、第ｉの中継器ＲＸ−ｉから第ｉのモジュールＭ−ｉへの映像データの伝送のタイミングを調整できるようにしてもよい。以下、その具体例について説明する。
【００９１】
図１２に示すように、本実施形態では、第ｉの中継器ＲＸ−ｉは、リード部ＭＲ−ｉと伝送部Ｓ−ｉとの間に、リード部ＭＲ−ｉによって出力された映像データを一旦記憶する第２バッファＳＭ−ｉと、第２バッファＳＭ−ｉから、リード部ＭＲ−ｉによる読み出し速度と等しい速度で映像データを読み出して、伝送部Ｓ−ｉに出力する第２リード部ＳＭＲ−ｉと、をさらに備える。
【００９２】
本実施形態によれば、第ｉの中継器ＲＸ−ｉから第ｉのモジュールＭ−ｉへの映像データの伝送のタイミングを柔軟に調整でき、第１〜第８の中継器ＲＸ−１〜ＲＸ−８からの、ディスプレイ１０への映像データの伝送のタイミングを揃えるといったことが可能となる。
【００９３】
以上、本発明の実施形態について説明した。本発明はこれに限られず、以下に述べる変形も可能である。
【００９４】
（ｉ）図１には、理解を容易にするために、振り分け部３２が、伝送ケーブル３３を切り替える様子を模式的に示した。分割データの振り分けは、伝送ケーブル３３の切り替えによらずとも実現できる。即ち、振り分け部３２と、第１〜第８の中継器の取得部Ｒ−１〜Ｒ−８の各々とを接続する８本の伝送ケーブル３３を備える必要はなく、振り分け部３２と第１〜第８の中継器の取得部Ｒ−１〜Ｒ−８とを直列に接続する直列伝送ケーブルを備えてもよい。振り分け部３２が、各分割データに、宛先となる中継器を識別するアドレス情報を付したものを直列伝送ケーブルに送出し、各々の中継器が、自己のアドレス情報が付された分割データだけを取得するようにすればよい。
【００９５】
（ｉｉ）上記各実施形態では、ディスプレイ１０の表示領域１０ａが、縦１０８０ピクセル×横１９２０ピクセルの画素で構成されていたが、表示領域１０ａの画素数は特に限定されない。表示領域１０ａの画素数は、例えば、縦１０２４ピクセル×横１２８０ピクセルであってもよいし、縦４８０×横６４０ピクセルであってもよい。
【００９６】
（ｉｉｉ）上記各実施形態に係る映像表示装置１００において、（ａ）映像データを１フレームの１モジュール分未満の分割データ毎に、８つのバッファＢＭ−１〜ＢＭ−８に順次書き込む、振り分け部３２及びライト部ＭＷ−ｉの機能と、（ｂ）分割データが書き込まれたバッファＢＭ−ｉから分割データを、他のすべてのバッファＢＭ−ｍｏｄ（ｉ＋１，８）〜ＢＭ−ｍｏｄ（ｉ＋７，８）への書き込み期間を用いて、その分割データの書き込み速度より遅い速度で読み出すリード部ＭＲ−ｉの機能と、はコンピュータで実行可能なプログラムによって実現できる。
【００９７】
かかるプログラムをコンピュータにインストールすることで、コンピュータを、振り分け部３２、ライト部ＭＷ−ｉ、及びリード部ＭＲ−ｉとして機能させることもできる。プログラムの配布方法は任意であり、通信ネットワークを介して配布してもよいし、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよい。
【００９８】
本発明は、その広義の精神と範囲を逸脱することなく、様々な実施形態及び変形が可能とされる。上記各実施形態は、本発明を説明する為のものであり、本発明の範囲を限定するものではない。本発明の範囲は、実施形態ではなく、請求の範囲によって示される。請求の範囲及びそれと同等の発明の意義の範囲内で施される様々な変形が、本発明の範囲内とみなされる。
【００９９】
本出願は、２０１６年２月９日に出願された、日本国特許出願特願２０１６−０２２９５５号に基づく。本明細書中に日本国特許出願特願２０１６−０２２９５５号の明細書、特許請求の範囲、図面全体を参照として取り込むものとする。
【産業上の利用可能性】
【０１００】
本発明に係る映像表示装置は、例えば、スタジアム、野球場、サッカー場といった運動施設や、競馬場、競艇場といった遊技場施設や、ビルの壁面等に設置して利用できる。
【符号の説明】
【０１０１】
１０…ディスプレイ、１０ａ…表示領域、１１…表示ユニット、１２…発光素子、２０…中継器群、２１…伝送ケーブル、３０…映像データ供給器、３１…メモリ、３２…振り分け部、３３…伝送ケーブル、１００…映像表示装置、Ｍ−１〜Ｍ−８…第１〜第８のモジュール、ＲＸ−１〜ＲＸ−８…第１〜第８の中継器、Ｒ−１〜Ｒ−８…取得部、ＭＷ−１〜ＭＷ−８…ライト部、ＢＭ−１〜ＢＭ−８…バッファ、ＢＭａ−１〜ＢＭａ−８，ＢＭｂ−１〜ＢＭｂ−８…部分バッファ、ＭＲ−１〜ＭＲ−９…リード部、ＳＭ−１〜ＳＭ−８…第２バッファ、ＳＭＲ−１〜ＳＭＲ−２…第２リード部、Ｓ−１〜Ｓ−８…伝送部。
【図１】
2017138171.tif 000003
【図２】
2017138171.tif 000004
【図３】
2017138171.tif 000005
【図４】
2017138171.tif 000006
【図５】
2017138171.tif 000007
【図６】
2017138171.tif 000008
【図７】
2017138171.tif 000009
【図８】
2017138171.tif 000010
【図９】
2017138171.tif 000011
【図１０】
2017138171.tif 000012
【図１１】
2017138171.tif 000013
【図１２】
2017138171.tif 000014
【手続補正書】
【提出日】平成30年3月2日(2018.3.2)
【手続補正１】
【補正対象書類名】明細書
【補正対象項目名】００１１
【補正方法】変更
【補正の内容】
【００１１】
上記目的を達成するために、本発明に係る映像表示装置は、
３つ以上のモジュールで構成され、各々の前記モジュールが、外部から入力された映像データに対応する映像を表示するディスプレイと、
前記ディスプレイに至る前記映像データの伝送経路上に配置され、前記映像データの伝送速度を低下させる中継器群と、
前記中継器群に前記映像データを供給する映像データ供給器と、
を備え、
前記中継器群が、前記モジュール毎に設けられた中継器で構成されており、
各々の前記中継器が、
各々前記映像データを記憶する複数の部分バッファと、
各々の前記部分バッファに、前記映像データ供給器から構成される、１フレームの１つの前記モジュール分未満の前記映像データである分割データを書き込むと共に、前記映像データ供給器から前記分割データを与えられる度に、書き込みを行う前記部分バッファを切り替えるライト部と、
前記ライト部による書き込みが終了すると、その書き込み速度より遅い速度で前記部分バッファから前記分割データを読み出し、読み出した該分割データを、対応する前記モジュールに向けて出力し、１つの前記部分バッファからの読み出し期間が、他の前記部分バッファへの書き込み期間と重なりを有するリード部と、
を有し、
前記映像データ供給器が、前記映像データを、複数の前記分割データ毎に、３つ以上の前記中継器に順次振り分け、１つの前記中継器における前記部分バッファからの前記分割データの読み出しが、他の複数の前記中継器における前記部分バッファへの前記分割データの書き込み期間に行われる。
【手続補正２】
【補正対象書類名】明細書
【補正対象項目名】００１２
【補正方法】変更
【補正の内容】
【００１２】
リード部が、ライト部による書き込み速度より遅い速度で、部分バッファから映像データを読み出すので、各モジュールへの映像データの伝送速度を低下させることができる。
【手続補正３】
【補正対象書類名】明細書
【補正対象項目名】００１３
【補正方法】変更
【補正の内容】
【００１３】
また、１つの中継器における部分バッファからの分割データの読み出しが、他の複数の中継器における部分バッファへの分割データの書き込み期間に行われるので、各部分バッファへの書き込みを中断して、或る部分バッファからの読み出しの完了を待たねばならない期間の発生を回避できる。この結果、映像データ供給器から中継器群に至る分割データの伝送速度に見合ったフレームレートを保つことができる。
【手続補正４】
【補正対象書類名】明細書
【補正対象項目名】００１４
【補正方法】変更
【補正の内容】
【００１４】
しかも、各々の部分バッファは、１つのモジュール分未満の分割データを記憶するに足りる記憶容量を有していればよいので、構成の大型化を抑えることができる。
【手続補正５】
【補正対象書類名】明細書
【補正対象項目名】００１５
【補正方法】変更
【補正の内容】
【００１５】
【図１】参考形態１に係る映像表示装置の構成を示す概念図
【図２】参考形態１に係るディスプレイを構成するモジュールの概念図
【図３】参考形態１に係る中継器の構成を示すブロック図
【図４】参考形態１に係るフレームデータ伝送処理のフローチャート
【図５】参考形態１に係るラインデータの振り分けの順序を示す概念図
【図６】参考形態１に係るライト部とリード部の動作のタイミングチャート
【図７】参考形態２に係る中継器の構成を示すブロック図
【図８】参考形態２に係るライト部とリード部の動作のタイミングチャート
【図９】実施形態に係るライト部とリード部の動作のタイミングチャート
【図１０】参考形態３に係る１／２ラインデータの振り分けの順序を示す概念図
【図１１】参考形態４に係る１／８ラインデータの振り分けの順序を示す概念図
【図１２】参考形態５に係る中継器の構成を示すブロック図
【手続補正６】
【補正対象書類名】明細書
【補正対象項目名】００１６
【補正方法】変更
【補正の内容】
【００１６】
以下、図面を参照し、本発明の実施形態及び参考形態に係る映像表示装置について説明する。図中、同一又は対応する部分に同一の符号を付す。
【手続補正７】
【補正対象書類名】明細書
【補正対象項目名】００１７
【補正方法】変更
【補正の内容】
【００１７】
〔参考形態１〕
図１に示すように、本参考形態に係る映像表示装置１００は、自己に入力された映像データに対応する映像を表示するディスプレイ１０と、ディスプレイ１０に至る映像データの伝送経路上に配置され、映像データの伝送速度を低下させる中継器群２０と、中継器群２０に映像データを供給する映像データ供給器３０と、を備える。
【手続補正８】
【補正対象書類名】明細書
【補正対象項目名】００６２
【補正方法】変更
【補正の内容】
【００６２】
以上説明した参考形態によれば、次の効果が得られる。
【手続補正９】
【補正対象書類名】明細書
【補正対象項目名】００６８
【補正方法】変更
【補正の内容】
【００６８】
なお、本参考形態では、中継器群２０を構成する中継器の数及びディスプレイ１０を構成するモジュールの数を８つとしたが、特に８つに限定されない。参考形態１において、中継器群２０を構成する中継器の数をＬ（但し、Ｌは３以上の自然数とする。）としたとき、各中継器は、映像データの伝送速度を１／（Ｌ−１）に低下させることができる。
【手続補正１０】
【補正対象書類名】明細書
【補正対象項目名】００６９
【補正方法】変更
【補正の内容】
【００６９】
〔参考形態２〕
上記参考形態１の構成において、バッファＢＭ−ｉを、複数の独立した部分バッファで構成してもよい。この場合、第ｉの中継器ＲＸ−ｉに振り分けられた或るラインデータの書き込みは、バッファＢＭ−ｉを構成する１つの部分バッファに対して行い、次に第ｉの中継器ＲＸ−ｉに振り分けられたラインデータの書き込みは、バッファＢＭ−ｉを構成する他の部分バッファに対して行うことができる。
【手続補正１１】
【補正対象書類名】明細書
【補正対象項目名】００７１
【補正方法】変更
【補正の内容】
【００７１】
図７に示すように、本参考形態では、第ｉの中継器ＲＸ−ｉが、独立した部分バッファＢＭａ−ｉと部分バッファＢＭｂ−ｉとを備える。他の構成は、参考形態１と同様である。
【手続補正１２】
【補正対象書類名】明細書
【補正対象項目名】００７４
【補正方法】変更
【補正の内容】
【００７４】
図８に示すように、本参考形態によれば、第ｉの中継器ＲＸ−ｉにおいて、部分バッファＢＭａ−ｉと部分バッファＢＭｂ−ｉの一方への書き込み期間を、他方からの読み出し期間と重複させることができる。
【手続補正１３】
【補正対象書類名】明細書
【補正対象項目名】００７６
【補正方法】変更
【補正の内容】
【００７６】
なお、一般に、本参考形態のように、第ｉの中継器ＲＸ−ｉが２つの部分バッファＢＭａ−ｉ及びＢＭｂ−ｉを有する場合、中継器群２０を構成する中継器の数をＬとしたとき、各中継器は、映像データの伝送速度を１／Ｌに低下させることができる。
【手続補正１４】
【補正対象書類名】明細書
【補正対象項目名】００７７
【補正方法】変更
【補正の内容】
【００７７】
〔実施形態〕
上記参考形態２では、振り分け部３２が、１ラインデータ毎に、中継器群２０内で振り分け先を切り替えたが、第ｉの中継器ＲＸ−ｉが複数の部分バッファを備える場合、振り分け部３２は、複数ラインデータ毎に、振り分け先を切り替えてもよい。以下、その具体例について説明する。
【手続補正１５】
【補正対象書類名】明細書
【補正対象項目名】００８１
【補正方法】変更
【補正の内容】
【００８１】
〔参考形態３〕
上記参考形態１では、振り分け部３２が、分割データとして１ライン分のラインデータを中継器群２０に振り分けた。振り分け部３２が振り分ける分割データは、１ライン分未満の映像データであってもよい。以下、その具体例について説明する。
【手続補正１６】
【補正対象書類名】明細書
【補正対象項目名】００８２
【補正方法】変更
【補正の内容】
【００８２】
図１０に示すように、本参考形態では、振り分け部３２は、分割データとして１／２ライン分の１／２ラインデータを振り分ける。具体的には、番号（１），（２），（３）…（３３），…の順序での１／２ラインデータのディスプレイ１０への入力が実現されるように、振り分け部３２は、１／２ラインデータを振り分ける。即ち、第１〜第８の中継器ＲＸ−１〜ＲＸ−８には、１／２ラインデータが、順次周期的に与えられる。第ｉの中継器ＲＸ−ｉには、１／２ラインデータが、横方向に関して１ラインの左半分から右半分の順に、縦方向に関しては、ラインの番号に従って順番に与えられる。
【手続補正１７】
【補正対象書類名】明細書
【補正対象項目名】００８３
【補正方法】変更
【補正の内容】
【００８３】
本参考形態によれば、バッファＢＭ−ｉが１／２ライン分の映像データを記憶するに足りる記憶容量を有していればよいので、実施形態１の場合よりも、第ｉの中継器ＲＸ−ｉの構成の小型化が図られる。
【手続補正１８】
【補正対象書類名】明細書
【補正対象項目名】００８４
【補正方法】変更
【補正の内容】
【００８４】
〔参考形態４〕
上記参考形態１では、ディスプレイ１０が、正面視で縦方向に分割された構造を有していた。ディスプレイ１０は、正面視で横方向に分割された構造を有していてもよい。以下、その具体例について述べる。
【手続補正１９】
【補正対象書類名】明細書
【補正対象項目名】００８５
【補正方法】変更
【補正の内容】
【００８５】
図１１に示すように、本参考形態では、ディスプレイ１０が、正面視で縦方向に長い第１〜第８のモジュールＭ−１〜Ｍ−８が、横方向に連結された構造を有する。
【手続補正２０】
【補正対象書類名】明細書
【補正対象項目名】００８７
【補正方法】変更
【補正の内容】
【００８７】
本参考形態によれば、バッファＢＭ−ｉが１／８ライン分の映像データを記憶するに足りる記憶容量を有していればよいので、第ｉの中継器ＲＸ−ｉのさらなる小型化が図られる。
【手続補正２１】
【補正対象書類名】明細書
【補正対象項目名】００９０
【補正方法】変更
【補正の内容】
【００９０】
〔参考形態５〕
上記参考形態１では、映像データが、リード部ＭＲ−ｉによって読み出され次第、第ｉのモジュールＭ−ｉに伝送される構成を採った。リード部ＭＲ−ｉと伝送部Ｓ−ｉとの間に第２バッファＳＭ−ｉを介在させ、第ｉの中継器ＲＸ−ｉから第ｉのモジュールＭ−ｉへの映像データの伝送のタイミングを調整できるようにしてもよい。以下、その具体例について説明する。
【手続補正２２】
【補正対象書類名】明細書
【補正対象項目名】００９１
【補正方法】変更
【補正の内容】
【００９１】
図１２に示すように、本参考形態では、第ｉの中継器ＲＸ−ｉは、リード部ＭＲ−ｉと伝送部Ｓ−ｉとの間に、リード部ＭＲ−ｉによって出力された映像データを一旦記憶する第２バッファＳＭ−ｉと、第２バッファＳＭ−ｉから、リード部ＭＲ−ｉによる読み出し速度と等しい速度で映像データを読み出して、伝送部Ｓ−ｉに出力する第２リード部ＳＭＲ−ｉと、をさらに備える。
【手続補正２３】
【補正対象書類名】明細書
【補正対象項目名】００９２
【補正方法】変更
【補正の内容】
【００９２】
本参考形態によれば、第ｉの中継器ＲＸ−ｉから第ｉのモジュールＭ−ｉへの映像データの伝送のタイミングを柔軟に調整でき、第１〜第８の中継器ＲＸ−１〜ＲＸ−８からの、ディスプレイ１０への映像データの伝送のタイミングを揃えるといったことが可能となる。
【手続補正２４】
【補正対象書類名】明細書
【補正対象項目名】００９３
【補正方法】変更
【補正の内容】
【００９３】
以上、本発明の実施形態及び参考形態について説明した。本発明はこれに限られず、以下に述べる変形も可能である。
【手続補正２５】
【補正対象書類名】明細書
【補正対象項目名】００９５
【補正方法】変更
【補正の内容】
【００９５】
（ｉｉ）上記参考形態１では、ディスプレイ１０の表示領域１０ａが、縦１０８０ピクセル×横１９２０ピクセルの画素で構成されていたが、表示領域１０ａの画素数は特に限定されない。表示領域１０ａの画素数は、例えば、縦１０２４ピクセル×横１２８０ピクセルであってもよいし、縦４８０×横６４０ピクセルであってもよい。
【手続補正２６】
【補正対象書類名】明細書
【補正対象項目名】００９６
【補正方法】変更
【補正の内容】
【００９６】
（ｉｉｉ）上記参考形態１に係る映像表示装置１００において、（ａ）映像データを１フレームの１モジュール分未満の分割データ毎に、８つのバッファＢＭ−１〜ＢＭ−８に順次書き込む、振り分け部３２及びライト部ＭＷ−ｉの機能と、（ｂ）分割データが書き込まれたバッファＢＭ−ｉから分割データを、他のすべてのバッファＢＭ−ｍｏｄ（ｉ＋１，８）〜ＢＭ−ｍｏｄ（ｉ＋７，８）への書き込み期間を用いて、その分割データの書き込み速度より遅い速度で読み出すリード部ＭＲ−ｉの機能と、はコンピュータで実行可能なプログラムによって実現できる。
【手続補正２７】
【補正対象書類名】特許請求の範囲
【補正対象項目名】全文
【補正方法】変更
【補正の内容】
【特許請求の範囲】
【請求項１】
３つ以上のモジュールで構成され、各々の前記モジュールが、外部から入力された映像データに対応する映像を表示するディスプレイと、
前記ディスプレイに至る前記映像データの伝送経路上に配置され、前記映像データの伝送速度を低下させる中継器群と、
前記中継器群に前記映像データを供給する映像データ供給器と、
を備え、
前記中継器群が、前記モジュール毎に設けられた中継器で構成されており、
各々の前記中継器が、
各々前記映像データを記憶する複数の部分バッファと、
各々の前記部分バッファに、前記映像データ供給器から構成される、１フレームの１つの前記モジュール分未満の前記映像データである分割データを書き込むと共に、前記映像データ供給器から前記分割データを与えられる度に、書き込みを行う前記部分バッファを切り替えるライト部と、
前記ライト部による書き込みが終了すると、その書き込み速度より遅い速度で前記部分バッファから前記分割データを読み出し、読み出した該分割データを、対応する前記モジュールに向けて出力し、１つの前記部分バッファからの読み出し期間が、他の前記部分バッファへの書き込み期間と重なりを有するリード部と、
を有し、
前記映像データ供給器が、前記映像データを、複数の前記分割データ毎に、３つ以上の前記中継器に順次振り分け、１つの前記中継器における前記部分バッファからの前記分割データの読み出しが、他の複数の前記中継器における前記部分バッファへの前記分割データの書き込み期間に行われる、
映像表示装置。
【請求項２】
各々の前記中継器が、前記リード部によって出力された前記分割データを、対応する前記モジュールに伝送する伝送ケーブルを有し、
前記ディスプレイが、正面視で１方向を長手方向とする形状の表示領域を有し、かつ該長手方向に直交する短手方向に前記モジュールが連結された構造を有する請求項１に記載の映像表示装置。
【請求項３】
前記分割データが、１フレームの１ライン分以下の前記映像データである請求項１又は２に記載の映像表示装置。
【請求項４】
前記中継器群を構成する前記中継器の数をＬとしたとき、各々の前記中継器が、前記映像データの伝送速度を１／（Ｌ−１）以下に低下させる請求項１から３のいずれか１項に記載の映像表示装置。
【請求項５】
各々の前記中継器が、前記リード部によって出力された前記分割データを一旦記憶する第２バッファをさらに有する請求項１から４のいずれか１項に記載の映像表示装置。
【請求項６】
各々外部から入力された映像データに対応する映像を表示し、互いに共通のディスプレイを構成する３つ以上のモジュールの各々に対応して設けられた中継器に、前記映像データを順次振り分けると共に、前記映像データを、１フレームの１つの前記モジュール分未満の分割データ毎に、各々の前記中継器が備える複数の部分バッファの各々に書き込む書き込みステップと、
前記分割データが書き込まれた前記部分バッファから該分割データを、他の複数の前記部分バッファへの前記分割データの書き込み期間を用いて、該分割データの書き込み速度より遅い速度で読み出すと共に、読み出した該分割データを、対応する前記モジュールに伝送する伝送ステップと、
を含み、
前記書き込みステップでは、１つの前記中継器から、他の前記中継器への、前記映像データの振り分け先の切り替えを、複数の前記分割データ毎に行う、
映像データ伝送方法。
【請求項７】
３つ以上のモジュールで構成され、各々の前記モジュールが、外部から入力された映像データに対応する映像を表示するディスプレイと、前記モジュール毎に設けられ、複数の部分バッファを有する中継器と、を備える映像表示装置に、
３つ以上の前記中継器に、前記映像データを順次振り分けると共に、前記映像データを、１フレームの１つの前記モジュール分未満の分割データ毎に、各々の前記中継器が備える複数の前記部分バッファの各々に書き込む書き込み機能と、
前記分割データが書き込まれた前記部分バッファから該分割データを、他の複数の前記部分バッファへの前記分割データの書き込み期間を用いて、該分割データの書き込み速度より遅い速度で読み出す読み出し機能と、
を実現させ、
前記書き込み機能では、１つの前記中継器から、他の前記中継器への、前記映像データの振り分け先の切り替えを、複数の前記分割データ毎に行わせる、
プログラム。
【国際調査報告】
2017138171.tif 000015
2017138171.tif 000016
2017138171.tif 000017
2017138171.tif 000018